(57)【要約】【課題】  木質系板状廃材から非木質材を除去して木質チップのみを簡便かつ確実に回収することが可能な木質系板状廃材のリサイクル方法及びその装置を提供する。【解決手段】  表面に非木質材が設けられた木質系板状廃材１１から非木質材を除去して原料板材を形成する原料板材形成手段１２と、原料板材を破砕して破砕物を形成する破砕手段１３と、破砕物から木質チップを分離し回収する木質チップ回収手段１４を有する木質系板状廃材のリサイクル装置１０であって、原料板材形成手段１２は、木質系板状廃材１１の表層部に外周部の一部をくい込ませながら回転し木質系板状廃材１１に移動駆動力を与える駆動ローラ２５〜２７と、木質系板状廃材１１の移動方向に設けられ、移動してくる木質系板状廃材１１の表層部に外周部に分散配置された研削刃２８を切り込ませながら回転し非木質材を研削して除去する研削ローラ２９〜３１を有している。【選択図】        図２
2005186582.tif 000002
【特許請求の範囲】
【請求項１】
表面に非木質材が設けられた木質系板状廃材を、外周部に研削刃を備えて回転する研削ローラに送って該木質系板状廃材の表層部を研削し、該表層部の前記非木質材を除去して原料板材を形成する第１工程と、
前記原料板材を打撃破砕して木質チップを主体とする破砕物を形成する第２工程と、
前記破砕物から前記木質チップを分離して回収する第３工程とを有することを特徴とする木質系板状廃材のリサイクル方法。
【請求項２】
請求項１記載の木質系板状廃材のリサイクル方法において、前記木質系板状廃材は、正面ガラス、表面機器、及び裏面機器を除き表面ガイドを残した廃パチンコ台ボードであり、前記木質チップの分離は、風力選別、浮力選別、及び回転磁界選別のいずれか１又は２以上を組み合わせて行うことを特徴とする木質系板状廃材のリサイクル方法。
【請求項３】
表面に非木質材が設けられた木質系板状廃材から該非木質材を除去して原料板材を形成する原料板材形成手段と、前記原料板材を破砕して破砕物を形成する破砕手段と、前記破砕物から木質チップを分離し回収する木質チップ回収手段とを備えた木質系板状廃材のリサイクル装置であって、
前記原料板材形成手段は、前記木質系板状廃材の表層部に外周部の一部をくい込ませながら回転し該木質系板状廃材に移動駆動力を与える単数又は複数の駆動ローラと、
前記木質系板状廃材の移動方向に単数又は複数設けられ、移動してくる前記木質系板状廃材の表層部に外周部に分散配置された研削刃を切り込ませながら回転し前記非木質材を研削して除去する研削ローラを有していることを特徴とする木質系板状廃材のリサイクル装置。
【請求項４】
請求項３記載の木質系板状廃材のリサイクル装置において、前記研削刃は、前記研削ローラの軸方向及び周方向にそれぞれ隙間を開けて並べて配置されていることを特徴とする木質系板状廃材のリサイクル装置。
【請求項５】
請求項３及び４のいずれか１項に記載の木質系板状廃材のリサイクル装置において、前記駆動ローラには、環状の爪状突起が該駆動ローラの軸方向に隙間をあけて並べて配置されていることを特徴とする木質系板状廃材のリサイクル装置。
【発明の詳細な説明】
【技術分野】
【０００１】
本発明は、木質系板状廃材のリサイクル方法及びその装置に係り、更に詳細にはリサイクルを容易にするために木質系板状廃材から非木質材を除去して木質部を回収する方法及びその装置に関する。
【背景技術】
【０００２】
木質系廃棄物、例えば、廃化粧板のリサイクルとして、廃化粧板から化粧材を除去してチップ状にしてパーティクルボードの製造に使用することが行われている。ここで、廃化粧板として、近時、廃パチンコ台のボード（以下、単にパチンコ台という）が注目されるようになっている。しかし、パチンコ台には約２００〜３００本もの真鍮釘（以下、単に釘ともいう）が使用されており、しかも、これらの釘の先端はらせん状になって強固にパチンコ台に打ち込まれている。このため、これらの釘とパチンコ台を分離することが、パチンコ台のリサイクルを行う上で必要になる。
【０００３】
そこで、パチンコ台から釘を分離する方法として、各釘の打ち込み位置に対応した位置にそれぞれ釘押出し用ピンが固定された板をパチンコ台の裏側に配置し、板をパチンコ台の裏面側に近づけることにより釘押出し用ピンで各釘の打ち込み位置に対応する裏面側の位置を押圧して全ての釘を同時に押し出すことが提案されている。また、釘押出し用ピンを前後縦横に移動可能な支持体で保持し、各釘の打ち込み位置にそれぞれ対応する裏面側の位置をこの釘押出し用ピンで逐次押圧し各釘を１本ずつ押し出すことが提案されている（例えば、特許文献１参照）。
更に、回転ロールの周面に櫛歯状に形成された釘抜き爪が設けられた回転ロールを回転させながら、その下を釘が回転ロール側に向くようにしてパチンコ台を通過させて、釘抜き爪の櫛歯に釘の頭を引っかけて釘を抜き取る装置が提案されている（例えば、特許文献２参照）。
【０００４】
【特許文献１】特開２００２−１５９６５０号公報
【特許文献２】実用新案登録第３０８６９６８号公報
【発明の開示】
【発明が解決しようとする課題】
【０００５】
しかしながら、特許文献１に記載された発明では、全ての釘を同時に抜き出す場合には、釘の打ち込み位置のパターンが異なるパチンコ台毎にそのパターンに対応するように釘押出し用ピンが固定された板を準備しなければならず、非常に不経済であるという問題がある。そして、１本でも釘の数や配置を誤って釘押出し用ピンを板に固定すると、釘を全て押し出すことができなくなるという問題が生じる。
また、釘を１本ずつ押し出す場合には、全ての釘の押し出しに長時間を要するという問題があった。しかも、釘押出し用ピンを保持する支持体を各釘位置に対応させてパチンコ台の裏面側で移動させる必要があり、そのためには全ての釘位置のデータをこの支持体の移動制御装置に入力しなければならず、釘の抜き取り作業が非常に煩雑になるという問題が生じる。
【０００６】
一方、特許文献２に記載された考案では、各パチンコ台には多数の釘が不均一なパターンで強固に打ち込まれており、このような釘を一定の間隔で形成された櫛歯状の釘抜き爪で抜き取ろうとしても、全ての釘の頭に釘抜き爪を引っかけることは非常に困難で、釘の頭が潰れて釘が抜けなくなるという問題が生じる。
更に、特許文献１及び２にそれぞれ記載された発明及び考案では、パチンコ台の表面に貼られた化粧材を釘の除去と同時に剥がすことができず、化粧材を除去するために別の工程を設けることが必要で、工程が複雑かつ長期化するという問題も存在した。
【０００７】
本発明はかかる事情に鑑みてなされたもので、木質系板状廃材から非木質材を除去して木質チップのみを簡便かつ確実に回収することが可能な木質系板状廃材のリサイクル方法及びその装置を提供することを目的とする。
【課題を解決するための手段】
【０００８】
前記目的に沿う請求項１記載の木質系板状廃材のリサイクル方法は、表面に非木質材が設けられた木質系板状廃材を、外周部に研削刃を備えて回転する研削ローラに送って該木質系板状廃材の表層部を研削し、該表層部の前記非木質材を除去して原料板材を形成する第１工程と、
前記原料板材を打撃破砕して木質チップを主体とする破砕物を形成する第２工程と、
前記破砕物から前記木質チップを分離して回収する第３工程とを有する。
ここで、木質チップを主体とする破砕物とは、例えば、９０〜９９質量％の木質チップを含む破砕物を指す。
【０００９】
請求項２記載の木質系板状廃材のリサイクル方法は、請求項１記載の木質系板状廃材のリサイクル方法において、前記木質系板状廃材は、正面ガラス、表面機器、及び裏面機器を除き表面ガイドを残した廃パチンコ台ボードであり、前記木質チップの分離は、風力選別、浮力選別、及び回転磁界選別のいずれか１又は２以上を組み合わせて行う。
廃パチンコ台ボードの表面に設けられている非木質材（すなわち、表面ガイドを構成する、例えば、化粧材及び真鍮釘の露出部分）が除去された原料板材から形成される破砕物には、木質チップと残留した真鍮釘の先端部が含まれている。そして、木質チップと真鍮釘では、比重、導電性、及び磁気特性が大きく異なるので、風力選別、浮力選別、及び回転磁界選別により木質チップと真鍮釘を効率的に分離することができる。
ここで、表面機器とは、例えば、廃パチンコ台ボードの表面側に取付けられた電装品、パチンコ玉の案内板、及び装飾品を指す。また、裏面機器とは、例えば、廃パチンコ台ボードの裏面側に取付けられた、例えば、半導体基板、電線、パチンコ玉の回収装置、パチンコ玉の供給装置、及びパチンコ玉の払出し装置等を指す。
【００１０】
前記目的に沿う請求項３記載の木質系板状廃材のリサイクル装置は、表面に非木質材が設けられた木質系板状廃材から該非木質材を除去して原料板材を形成する原料板材形成手段と、前記原料板材を破砕して破砕物を形成する破砕手段と、前記破砕物から木質チップを分離し回収する木質チップ回収手段とを備えた木質系板状廃材のリサイクル装置であって、
前記原料板材形成手段は、前記木質系板状廃材の表層部に外周部の一部をくい込ませながら回転し該木質系板状廃材に移動駆動力を与える単数又は複数の駆動ローラと、
前記木質系板状廃材の移動方向に単数又は複数設けられ、移動してくる前記木質系板状廃材の表層部に外周部に分散配置された研削刃を切り込ませながら回転し前記非木質材を研削して除去する研削ローラを有している。
【００１１】
請求項４記載の木質系板状廃材のリサイクル装置は、請求項３記載の木質系板状廃材のリサイクル装置において、前記研削刃は、前記研削ローラの軸方向及び周方向にそれぞれ隙間を開けて並べて配置されている。
【００１２】
請求項５記載の木質系板状廃材のリサイクル装置は、請求項３及び４記載の木質系板状廃材のリサイクル装置において、前記駆動ローラには、環状の爪状突起が該駆動ローラの軸方向に隙間をあけて並べて配置されている。
【発明の効果】
【００１３】
請求項１及び２記載の木質系板状廃材のリサイクル方法においては、木質系板状廃材の表層部を研削し非木質材を除去してから打撃破砕により木質チップを含む破砕物を形成するので、非木質材の含有率を低下させた破砕物を多量に、しかも、容易に得ることが可能になる。その結果、木質チップの回収コストを低減することが可能になる。そして、非木質材の含有率を低下させた破砕物から木質チップを回収するようにするので、非木質材を実質的に含まない（例えば、非木質材の混入率が１％以下）良質の木質チップを容易に得ることが可能になる。
【００１４】
特に、請求項２記載の木質系板状廃材のリサイクル方法においては、廃パチンコ台ボードから、例えば、真鍮釘を１本ずつ完全に抜き取る処理を行わないので、大量のパチンコ台ボードのリサイクル処理が可能になる。
【００１５】
請求項３〜５記載の木質系板状廃材のリサイクル装置においては、表面に設けられた非木質材を同時に除去できるので、工程を簡素化することが可能になる。その結果、木質チップを回収するのに要する時間を短縮することが可能になって、木質チップの回収コストを低減することが可能になる。更に、破砕手段には非木質材の少ない原料板材を供給することができ、非木質材の少ない破砕物を形成することが可能になる。その結果、非木質材を実質的に含まない（例えば、非木質材の混入率が１％以下）良質の木質チップを得ることが可能になる。
【００１６】
特に、請求項４記載の木質系板状廃材のリサイクル装置においては、研削刃は複数あり、研削ローラの軸方向及び周方向にそれぞれ隙間を開けて並べて配置されているので、研削刃と接触する木質系板状廃材の表層部の非木質材が順次削り取られていき、非木質材を除去する際に研削ローラに生じる負荷を減少させることができる。ここで、研削ローラのローラ軸方向のどの断面にも周上に少なくとも１枚の研削刃があるように、研削刃を分割配置するのが好ましい。また、削り取られた非木質材は研削刃間の隙間から容易に流出することができ木質系板状廃材の表面に残留しないので、研削刃を木質系板状廃材の表層部に確実に切り込ませることが可能になる。このため、木質系板状廃材の表層部からの非木質材の除去を効率的に行うことが可能になる。
【００１７】
請求項５記載の木質系板状廃材のリサイクル装置においては、駆動ローラには、環状の爪状突起が駆動ローラの軸方向に隙間をあけて並べて配置されているので、駆動ローラの外周部の一部を容易に木質系板状廃材の表層部にくい込ませることができ、木質系板状廃材に大きな移動駆動力を与えることが可能になる。
【発明を実施するための最良の形態】
【００１８】
続いて、添付した図面を参照しつつ、本発明を具体化した実施の形態につき説明し、本発明の理解に供する。
ここで、図１は本発明の一実施の形態に係る木質系板状廃材のリサイクル装置のブロック図、図２は同木質系板状廃材のリサイクル装置の原料板材形成手段の側面図、図３は同木質系板状廃材のリサイクル装置の原料板材形成手段の正面図、図４は同木質系板状廃材のリサイクル装置の原料板材形成手段の一部省略平面図、図５は原料板材形成手段の駆動ローラの斜視図、図６は原料板材形成手段の研削ローラの正断面図、図７は原料板材形成手段の研削ローラの側面図、図８（Ａ）、（Ｂ）、及び（Ｃ）はそれぞれ原料板材形成手段の研削ローラの外周部に分散配置された研削刃の平面図、側面図、及び部分正断面図である。
【００１９】
図１に示すように、本発明の一実施の形態に係る木質系板状廃材のリサイクル装置１０は、表面に非木質材が設けられた木質系板状廃材の一例である廃パチンコ台ボード１１から、非木質材を除去して原料板材を形成する原料板材形成手段１２と、原料板材を破砕して破砕物を形成する破砕手段１３と、破砕物から木質チップを分離し回収する木質チップ回収手段１４を有している。以下これらについて、詳細に説明する。なお、廃パチンコ台ボード１１は、正面ガラス、表面機器、及び裏面機器が予め取り除かれている。
【００２０】
図２〜図５に示すように、原料板材形成手段１２は、廃パチンコ台ボード１１を受け入れる受入部１５が上流側に設けられた架台１６を有している。そして、架台１６は、前後左右に設けられた脚部材１７〜２０と、脚部材１７、１９（１８、２０）に対してその中央部よりも上部側の位置に固定される第１の梁部材２１（２１ａ）と、脚部材１７、１９（１８、２０）の上端部に固定される第２の梁部材２２を有している。更に、架台１６には、脚部材１７、１８を連結する補強部材２３と、脚部材１９、２０を連結する補強部材２４と、第１の梁部材２１（２１ａ）の上に取付けられた支持部材２４ａ（２４ｂ）が設けられている。
なお、架台１６は、例えば形鋼、鋼板を用いて構成することができる。
【００２１】
原料板材形成手段１２は、受入部１５の下流側に設けられ、廃パチンコ台ボード１１の表層部に外周部の一部をくい込ませながら回転して、廃パチンコ台ボード１１に架台１６の内側を上流側から下流側に向けて水平移動させる移動駆動力を与える３基の駆動ローラ２５〜２７を有している。
更に、原料板材形成手段１２は、廃パチンコ台ボード１１の移動方向に並べて設けられ、架台１６の上流側から下流側に向かって移動してくる廃パチンコ台ボード１１の表層部に外周部に分散配置された研削刃２８を切り込ませながら回転し、廃パチンコ台ボード１１の表面の非木質材を構成する表面ガイド、すなわち、化粧材及び化粧材から突出している真鍮釘の頭部を研削して除去する３基の研削ローラ２９〜３１を有している。
【００２２】
各駆動ローラ２５〜２７は、両側に取付け軸３２が設けられている駆動ローラ本体３３を有しており、駆動ローラ本体３３には、図５に示すように、環状の爪状突起３４が駆動ローラ本体１９の軸方向に隙間をあけて並べて配置されている。ここで、環状の爪状突起３４間の隙間Ｄは、例えば、１０〜５０ｍｍに設定されている。
回転している各駆動ローラ２５〜２７に廃パチンコ台ボード１１を送ると、各駆動ローラ２５〜２７に設けられている環状の爪状突起３４の先部が廃パチンコ台ボード１１の表層部にくい込み、廃パチンコ台ボード１１は各駆動ローラ２５〜２７の回転に合わせて引き込まれる。その結果、廃パチンコ台ボード１１には各駆動ローラ２５〜２７から大きな移動駆動力が与えられる。
【００２３】
なお、各取付け軸３２の両側はそれぞれ軸受３５で保持されている。ここで、各軸受３５と第２の梁部材２２の下端部に設けた受け板３７とを、例えば、ボルトにより締着することにより、軸受３５と受け板３７を一体化することができる。その結果、軸受３５と受け板３７を介して、駆動ローラ２５〜２７を第２の梁部材２２の下端部に取付けることができる。
このような構成とすることにより、例えば、軸受３５と受け板３７の間に種々の厚みの板材を装入して軸受３５と受け板３７を締着することにより、第２の梁部材２２の下端から各駆動ローラ本体３３の軸心位置までの距離を容易に調整することができる。これによって、例えば、廃パチンコ台ボード１１の表層部に環状の爪状突起３４の先部を１〜５ｍｍくい込ませることができる。
【００２４】
ここで、図４に示すように、駆動ローラ２５の各取付け軸３２の一方側にはプーリ３８、他方側にはプーリ３９がそれぞれ取付けられている。また、駆動ローラ２６の他方側の取付け軸３２にはプーリ４０、４１が並べて取付けられ、駆動ローラ２７の他方側の取付け軸３２にはプーリ４２が取付けられている。そして、プーリ３８は第２の梁部材２２の上端部にベースプレートを介して（他も同様）取付けられた電動機４３の回転軸４４に取付けられたプーリ４５とベルト４６を介して接続されている。更に、プーリ３９とプーリ４０はベルト４７を介して接続され、プーリ４１とプーリ４２はベルト４８を介して接続されている。なお、符号４９は各駆動ローラ２５〜２７の取付け軸３２にプーリ３８〜４２を固定する際に用いるキー、符号５０はキー４９が挿入されるキー溝を指す（なお、図４では、プーリ３８を固定する際に使用するキー４９のみを図示して、その他のキーは図示していない）。
【００２５】
このような構成とすることにより、電動機４３を駆動させると、ベルト４６を介して回転軸４４の回転が駆動ローラ２５の一方側に設けられたプーリ３８に伝わり、駆動ローラ２５を回転させることができる。そして、駆動ローラ２５が回転すると、駆動ローラ２５の他方側に設けられたプーリ３９が回転し、ベルト４７を介して駆動ローラ２６に設けられたプーリ４０に伝わり、駆動ローラ２６を回転させることができる。更に、駆動ローラ２６が回転すると、プーリ４０に並べて設けられたプーリ４１が回転し、ベルト４８を介して駆動ローラ２７に設けられたプーリ４２に伝わり、駆動ローラ２７を回転させることができる。これによって、各駆動ローラ２５〜２７を、回転方向を同一にして、しかも、同期させて駆動させることができる。その結果、廃パチンコ台ボード１１を、例えば、毎分０．６〜１２ｍの速度で移動させることができる。
【００２６】
図６、図７に示すように、研削ローラ２９〜３１は、円柱状の研削ローラ本体５１と、研削ローラ本体５１の両側に設けられた取付け軸５２、５３を有している。そして、研削ローラ本体５１には、例えば、研削ローラ本体５１の周方向を４等分する位置に、研削ローラ本体５１の軸に平行に一端側から他端側に向かって幅Ｒの溝５４〜５７がそれぞれ形成されている。更に、対向する溝５４、５６には等ピッチでねじ孔５８が形成され、対向する溝５５、５７にはねじ孔５８のピッチと同一のピッチでねじ孔５９が形成されている。ここで、各ねじ孔５９の形成位置は、各ねじ孔５８の形成位置に対して、研削ローラ本体５１の軸方向に半ピッチずれて形成されている。
【００２７】
また、研削刃２８は、図８（Ａ）〜（Ｃ）に示すように、平面視して矩形状で、正面視して先部が台形状となった刃先部６０と、刃先部６０に連接し正面視して矩形状となった基部６１を有している。そして、刃先部６０の刃幅Ｍは、例えば２０〜５０ｍｍの範囲に形成するのが好ましく、刃先部６０の長さＬはねじ孔５８（５９）のピッチの半分に一致させる。また、基部６１の幅Ｗは溝５４〜５７の幅Ｒより小さく形成され、研削刃２８の中央部には座繰穴６２が設けられ、座繰穴６２の底部の中央部には更に座繰穴６２より小径の貫通孔６３が形成されている。
このような構成とすることにより、研削刃２８を研削ローラ本体５１に形成された各溝５４〜５７に装入し、ボルト６２ａを貫通孔６３に挿通させてねじ孔５８、５９にねじ込むことにより、研削刃２８の刃先部６０を研削ローラ２９〜３１の外周面から突出させて（例えば、２〜１０ｍｍ）、しかも、軸方向及び周方向にそれぞれ隙間を開けて並べて配置することができる。
ここで、各ねじ孔５９の形成位置は、各ねじ孔５８の形成位置に対して、研削ローラ本体５１の軸方向に半ピッチずれて形成されているので、溝５４（５６）と溝５５（５７）に装入された各研削刃２８は、研削ローラ２９〜３１の軸方向で互いに重ならない状態になっている。
なお、刃先部６０の長さＬをねじ孔５８のピッチの半分に一致させ、各ねじ孔５９の形成間隔を、ねじ孔５８のピッチの半分未満の距離になるようにしてもよい。これによって、溝５４（５６）と溝５５（５７）に装入された各研削刃２８の両端側が研削ローラ２９〜３１の軸方向で互いに重なる状態にすることができ、廃パチンコ台ボード１１の表層部で化粧材と真鍮釘の突出部の削り除去もれを防止できる。
【００２８】
ここで、図２、図４、図７に示すように、研削ローラ２９の取付け軸５２、５３の両側はそれぞれ軸受６４で保持されている。そして、各軸受６４を第２の梁部材２２の下端部に、例えば、ボルトにより締着することにより、軸受６４を介して、研削ローラ２９を第２の梁部材２２の下端部に取付けることができる。また、取付け軸５３の先部には、取付け軸５３の先部に形成された装入穴６６に装入されてキー溝６７に挿通されるキー６８を介して固定されるプーリ６９が取付けられている。そして、プーリ６９は第２の梁部材２２の上端部に取付けられた電動機７０の回転軸７１に取付けられたプーリ７２とベルト７３を介して接続されている。
このような構成とすることにより、電動機７０を駆動させると、ベルト７３を介して回転軸７１の回転が研削ローラ２９に設けられたプーリ６９に伝わり、研削ローラ２９を回転させることができる。なお、研削ローラ２９の回転速度は、研削刃２８の先端での周速度が、例えば、２００〜１０００ｍ／分の範囲になるように設定するのがよい。
【００２９】
研削ローラ３０、３１の取付け軸５２、５３の両側はそれぞれ軸受６４で保持されている。そして、各軸受６４を第１の梁部材２１（２１ａ）の上端部に設けた受け板３７に、例えば、ボルトにより締着することにより、軸受６４を介して、研削ローラ３０、３１を第１の梁部材２１（２１ａ）に取付ける。ここで、研削ローラ３０、３１の各取付け位置は、駆動ローラ２６、２７の各取付け位置の直下になるようにする。
また、各取付け軸５３の先部には、取付け軸５３の先部に形成された装入穴６６に装入されてキー溝６７に挿通されるキー６８を介して固定されるプーリ７４、７５が取付けられている。そして、プーリ７４は第２の梁部材２２の上端部に取付けられた電動機７６の回転軸７７に取付けられたプーリ７８とベルト７９を介して接続され、プーリ７５は第２の梁部材２２の上端部に取付けられた電動機８０の回転軸８１に取付けられたプーリ８２とベルト８３を介して接続されている。
このような構成とすることにより、電動機７６を駆動させるとベルト７９を介して回転軸７７の回転が研削ローラ３０に設けられたプーリ７４に伝わり、研削ローラ３０を回転させることができ、電動機８０を駆動させるとベルト８３を介して回転軸８１の回転が研削ローラ３１に設けられたプーリ７５に伝わり、研削ローラ３１を回転させることができる。
【００３０】
研削ローラ３０の上流側の両側には、一端側が支持部材２４ａ、２４ｂの上端に固定された板部材８４、８５が設けられ、板部材８４、８５の上流端は受入部１５内に伸びて、受入部１５の側部材８６にボルト８７により締着されている。
また、研削ローラ３０、３１の間と、研削ローラ３１の下流側には、板部材８４、８５の上面高さと一致するように支持板部材８８、８９が設けられ、支持板部材８８、８９の両側は支持部材２４ａ、２４ｂの上端にボルト９０により固定されている。更に、支持板部材８９の下流側には、支持板部材８９の終端に斜め下方に傾斜した排出板９１が設けられている。そして、排出板９１の傾斜角度は、角度調節器９２により調節可能になっている。
ここで、板部材８４、８５の下流端と支持板部材８８の上流端との間、及び支持板部材８８の下流端と支持板部材８９の上流端との間には、研削刃２８が露出するのに十分な隙間が形成されている。
なお、符号９３はプーリ３８、４５、６９、７２、７４、７５、７８、８２、及びベルト４６、７３、７９、８３を覆うカバーを指し、符号９４はプーリ３９、４０、４１、４２、及びベルト４７、４８覆うカバーを指す。また、符号９８、９９、１００は、廃パチンコ台ボード１１の表層部から研削により除去された化粧剤屑及び真鍮釘が落下する際に飛散するのを防止する筒状のシュートを指す。
【００３１】
このような構成とすることにより、真鍮釘が打ち込まれた側（以下、表面側という）を下にして廃パチンコ台ボード１１を受入部１５から板部材８４、８５の上に載せて架台１６の上流側に装入すると、廃パチンコ台ボード１１の上面に、上面側で回転している駆動ローラ２５の爪状突起３４の先部がくい込んで、架台１６の下流側に向かって廃パチンコ台ボード１１は板部材８４、８５の上を移動していく。そして、回転している研削ロール２９に到達すると、外周部に分散配置された研削刃２８の刃先部６０が廃パチンコ台ボード１１の裏面側に切り込んで、裏面側に残った木質以外の部材片を研削除去する。
【００３２】
廃パチンコ台ボード１１の裏面側に残った木質以外の部材片が除去されながら、廃パチンコ台ボード１１の先部の裏面側が駆動ローラ２６（廃パチンコ台ボード１１の先部の表面側が研削ローラ２８）に到達すると、廃パチンコ台ボード１１の裏面側に回転している駆動ローラ２６の爪状突起３４の先部がくい込んで廃パチンコ台ボード１１を更に架台１６の下流側に向かって移動させながら、廃パチンコ台ボード１１の表面側では化粧材及び真鍮釘の突出部が研削ローラ３０の外周部に分散配置された研削刃２８の刃先部６０により研削除去される。廃パチンコ台ボード１１の先部が駆動ローラ２６と研削ローラ３０の間を通過すると、続いて、廃パチンコ台ボード１１の裏面側に回転している駆動ローラ２７の爪状突起３４の先部がくい込んで廃パチンコ台ボード１１を更に架台１６の下流側に向かって移動させながら、廃パチンコ台ボード１１の表面側では化粧材及び真鍮釘の突出部が研削ローラ３１の外周部に分散配置された研削刃２８の刃先部６０により研削除去される。
その結果、廃パチンコ台ボード１１に設けられている化粧材、真鍮釘の突出部が除去されて、廃パチンコ台ボード１１から原料板材が形成される。
【００３３】
原料板材を破砕して破砕物を形成する破砕手段１３は、クラッシャー部９５と、篩分け部９６を有している。ここで、クラッシャー部９５には、例えば、従来使用されている木材用のハンマークラッシャー、あるいはシュレッダーを使用することができ、篩分け部９６には、例えば、従来使用されている平板状の振動篩、あるいは籠状のロータリー篩を使用することができる。このため、破砕手段１３の詳細な説明は省略する。
破砕物から木質チップと真鍮釘を分離してそれぞれ回収する木質チップ回収手段１４には、例えば、従来から使用されている回転ローラの外周部に永久磁石が並べて配設されているロータリー式の渦電流を利用した回転磁界選別機（以下、単に回転磁界選別機という）を使用することができる。更に、木質系板状廃材のリサイクル装置１０には、原料板材形成手段１２から排出される化粧材屑と真鍮釘の混合屑から化粧材屑と真鍮釘を分離してそれぞれ回収する真鍮釘回収手段９７が設けられており、真鍮釘回収手段９７にも、例えば、従来から使用されている回転ローラの外周部に永久磁石が並べて配設されているロータリー式の回転磁界選別機を使用することができる。このため、木質チップ回収手段１４及び真鍮釘回収手段９７の詳細な説明は省略する。
【００３４】
次に、本発明の一実施の形態に係る木質系板状廃材のリサイクル方法について説明する。
先ず、正面ガラス、表面機器、及び裏面機器を除き表面ガイドを残した廃パチンコ台ボード１１を形成する。また、廃パチンコ台ボード１１の総厚み、廃パチンコ台ボード１１の表層部に設けられている化粧剤の厚み及び真鍮釘の突出部の長さに応じて、環状の爪状突起３４のくい込み深さと研削刃２８の切り込み深さを設定し、各駆動ローラ２５〜２７の軸心位置及び各研削ローラ２９〜３１の軸心位置をそれぞれ調整する。
そして、真鍮釘が打ち込まれた表面側を下にして廃パチンコ台ボード１１を原料板材形成手段１２の受入部１５から板部材８４、８５の上に載せて架台１６の上流側に装入する。装入された廃パチンコ台ボード１１には、その上面側に駆動ローラ２５の爪状突起３４の先部がくい込んで回転するため、架台１６の下流側に向かって移動する移動駆動力が付与される。これによって、廃パチンコ台ボード１１は架台１６内の板部材８４、８５の上を上流側から下流側に向かって移動していく。
そして、駆動ローラ２５の下流側に配置された回転している研削ロール２９に到達すると、研削ローラ２９の外周部に分散配置された研削刃２８の刃先部６０が廃パチンコ台ボード１１の裏面側に切り込んで、裏面側に残った木質以外の部材片を研削除去する。研削除去された木質以外の部材片の屑は、シュート９８内を落下して、シュート９８の下方に設置された図示しない回収缶に収容される。
【００３５】
廃パチンコ台ボード１１は、その裏面側に残った木質以外の部材片が除去されながら、廃パチンコ台ボード１１が更に架台１６内を下流側に向けて移動する。そして、廃パチンコ台ボード１１の先部が駆動ローラ２６と研削ローラ３０の間に到達すると、廃パチンコ台ボード１１の裏面側に駆動ローラ２６の爪状突起３４の先部がくい込んで、廃パチンコ台ボード１１を更に架台１６の下流側に向かって移動させながら、廃パチンコ台ボード１１の表面側では化粧材及び真鍮釘の突出部が研削ローラ３０の外周部に分散配置された研削刃２８の刃先部６０により研削除去される。
【００３６】
このとき、廃パチンコ台ボード１１の裏面側は駆動ローラ２６の爪状突起３４を介して押圧された状態になっているので、廃パチンコ台ボード１１の表面側が研削ローラ３０で研削される際に、廃パチンコ台ボード１１が上方に押し上げられることが防止される。更に、研削刃２８は研削ローラ３０の外周部に分散配置されているので、化粧材及び真鍮釘を廃パチンコ台ボード１１の表面側で部分的に除去していくことができ、化粧材及び真鍮釘を除去する際に研削ローラ３０に生じる負荷を減少させることができる。そして、除去された化粧材及び真鍮釘は研削刃２８間の隙間から容易に流出することができ、研削刃２８を廃パチンコ台ボード１１の表層部に確実に切り込ませることが可能になる。このため、化粧材及び真鍮釘の突出部を廃パチンコ台ボード１１の表層部から効率的に除去することができる。なお、研削除去された化粧材屑及び真鍮釘は、シュート９９内を落下して、シュート９９の下方に設置された図示しない回収缶に収容される。
【００３７】
廃パチンコ台ボード１１の表面側の化粧材及び真鍮釘が除去されながら、廃パチンコ台ボード１１が更に架台１６内を下流側に向けて支持板部材８８の上を移動して、廃パチンコ台ボード１１の先部が回転している駆動ローラ２７と研削ローラ３１の間に到達すると、廃パチンコ台ボード１１の裏面側に駆動ローラ２７の爪状突起３４の先部がくい込んで、廃パチンコ台ボード１１を更に架台１６の下流側に向かって移動させながら、廃パチンコ台ボード１１の表面側では化粧材及び真鍮釘の突出部が研削ローラ３１の外周部に分散配置された研削刃２８の刃先部６０により研削除去される。
【００３８】
このとき、廃パチンコ台ボード１１の裏面側は駆動ローラ２７の爪状突起３４を介して押圧されて、廃パチンコ台ボード１１の表面側が研削ローラ３１で研削される際に上方に押し上げられるのが防止される。更に、化粧材及び真鍮釘を廃パチンコ台ボード１１の表面側で部分的に除去することで研削ローラ３１に生じる負荷を減少させながら、除去された化粧材屑及び真鍮釘は研削刃２８間の隙間から流出させて、シュート１００内を落下させてシュート１００の下方に設置された図示しない回収缶に収容する。
そして、廃パチンコ台ボード１１の表面側の化粧材及び真鍮釘の突出部、裏面側に残った木質以外の部材片がそれぞれ除去されて得られた原料板材は、支持板部材８９の上を移動し、排出板９１を介して架台１６内から排出される。
【００３９】
次に、原料板材は、破砕手段１３のクラッシャー部９５に供給されて打撃破砕され、木質チップが形成される。その際、打撃により原料板材内に打ち込まれていた真鍮釘は徐々に浮き上がって、木質チップが形成された段階では、木質チップの間に真鍮釘が混在している破砕物になる。そして、この破砕物を篩分け部９６に供給して、篩上の破砕物（例えば、最大長さが１００ｍｍを超えた破砕物）はクラッシャー部９５に再供給して再度打撃破砕を行ない、篩下の破砕物は木質チップ回収手段１４、例えば、ロータリー式の回転磁界選別機に供給する。
ロータリー式の回転磁界選別機の回転ローラの表面に破砕物が供給されると、破砕物中の木質チップは永久磁石の磁力線と相互作用を起こさないため、木質チップは回転ローラに沿って移動しながら移動方向を徐々に変え、次いで重力により下方に落下する。このため、重力による落下方向の下方に回収缶を設置すると、この回収缶に木質チップのみを収容することができる。
【００４０】
一方、破砕物中の真鍮釘では、回転する永久磁石により真鍮釘の内部に永久磁石と同一極を示す誘導磁界が発生して磁化する。このため、真鍮釘と永久磁石の間には磁気的反発力が発生して、回転ローラ上の真鍮釘は飛散する。このため、真鍮釘の飛散方向の下方に回収缶を設置すると、この回収缶に真鍮釘のみを収容することができる。その結果、木質チップと真鍮釘を分離して回収することができる。
更に、原料板材形成手段１２から排出される化粧材屑と真鍮釘の混合屑を真鍮釘回収手段９７、例えば、ロータリー式の回転磁界選別機に供給する。混合屑中の化粧材屑は永久磁石の磁力線と相互作用を起こさないため、破砕物から木質チップと真鍮釘を分離して回収したのと同様に、化粧材屑と真鍮釘を分離してそれそれ回収することができる。
【００４１】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の木質系板状廃材のリサイクル方法及びその装置を構成する場合も本発明の権利範囲に含まれる。
例えば、廃パチンコ台ボードから原料板材を形成する際に、研削ローラを３基使用したが、２基以下、又は４基以上としてもよい。そして、駆動ローラの基数も３基使用したが、研削ローラの基数に合わせて２基以下、又は４基以上としてもよい。また、研削ローラの外周部に周方向を４分割する位置に形成した４本の溝に研削刃を取付けたが、溝の本数を３本以下、又は５本以上にしてもよい。また、溝ではなく、研削刃を固定する凹部又は凸部を研削ローラの外周部の所定の位置に設けてもよい。
更に、破砕物から木質チップと真鍮釘を分離するのにロータリー式の回転磁界選別機を使用したが、破砕物を水中に分散させて比重の大きな真鍮釘を沈ませて木質チップと真鍮釘を分離する（浮力選別）こともできる。あるいは、破砕物を、例えば空気の気流中に落下させて、密度の小さな木質チップを吹き飛ばして、木質チップと真鍮釘を分離する（風力選別）こともできる。
【図面の簡単な説明】
【００４２】
【図１】本発明の一実施の形態に係る木質系板状廃材のリサイクル装置のブロック図である。
【図２】同木質系板状廃材のリサイクル装置の原料板材形成手段の側面図である。
【図３】同木質系板状廃材のリサイクル装置の原料板材形成手段の正面図である。
【図４】同木質系板状廃材のリサイクル装置の原料板材形成手段の一部省略平面図である。
【図５】原料板材形成手段の駆動ローラの斜視図である。
【図６】原料板材形成手段の研削ローラの正断面図である。
【図７】原料板材形成手段の研削ローラの側面図である。
【図８】（Ａ）、（Ｂ）、及び（Ｃ）はそれぞれ原料板材形成手段の研削ローラの外周部に分散配置された研削刃の平面図、側面図、及び部分正断面図である。
【符号の説明】
【００４３】
１０：木質系板状廃材のリサイクル装置、１１：廃パチンコ台ボード、１２：原料板材形成手段、１３：破砕手段、１４：木質チップ回収手段、１５：受入部、１６：架台、１７〜２０：脚部材、２１、２１ａ：第１の梁部材、２２：第２の梁部材、２３、２４：補強部材、２４ａ、２４ｂ：支持部材、２５〜２７：駆動ローラ、２８：研削刃、２９〜３１：研削ローラ、３２：取付け軸、３３：駆動ローラ本体、３４：爪状突起、３５：軸受、３７：受け板、３８〜４２：プーリ、４３：電動機、４４：回転軸、４５：プーリ、４６〜４８：ベルト、４９：キー、５０：キー溝、５１：研削ローラ本体、５２、５３：取付け軸、５４〜５７：溝、５８、５９：ねじ孔、６０：刃先部、６１：基部、６２：座繰穴、６２ａ：ボルト、６３：貫通孔、６４：軸受、６６：装入穴、６７：キー溝、６８：キー、６９：プーリ、７０：電動機、７１：回転軸、７２：プーリ、７３：ベルト、７４、７５：プーリ、７６：電動機、７７：回転軸、７８：プーリ、７９：ベルト、８０：電動機、８１：回転軸、８２：プーリ、８３：ベルト、８４、８５：板部材、８６：側部材、８７：ボルト、８８、８９：支持板部材、９０：ボルト、９１：排出板、９２：角度調節器、９３、９４：カバー、９５：クラッシャー部、９６：篩分け部、９７：真鍮釘回収部、９８〜１００：シュート
【図１】
2005186582.tif 000003
【図２】
2005186582.tif 000004
【図３】
2005186582.tif 000005
【図４】
2005186582.tif 000006
【図５】
2005186582.tif 000007
【図６】
2005186582.tif 000008
【図７】
2005186582.tif 000009
【図８】
2005186582.tif 000010